(57)【要約】【課題】原子の中の陽子と電子を結ぶ力や、原子核の陽子と中性子を結ぶ力や、中性子の電子と中性子の陽子を結ぶ力や、陽子の中のクオークとクオークを結ぶ力を再確認する。地表の物と物を結ぶ力は万有引力です。この原理は何か。宇宙の物と物を結ぶ力は中央の物が作る軌道エネルギーに、等しい軌道エネルギーの物が存在することです。【解決手段】各々の自転軌道を計算する。万有引力は、電子のラブが1公転で作る磁気の光子のエネルギーで、ボーア磁子÷公転数＝9.274×10−24J÷(7.96×107公転)＝1.165×10−31J、です。これを“マイナス方向に回転する万有引力”と名付ける。万有引力は陽子のラブが１公転で作る磁気の光子のエネルギーで、核磁子÷公転数＝5.05×10−27J÷(4.34×104公転)＝1.164×10−31J、です。これを“プラス方向に回転する万有引力”と名付ける。【選択図】図１
2020028209.tif 000002
【特許請求の範囲】
【請求項１】
原子の陽子のラブと電子のラブの離れている軌道の間の結合力は、自転軌道が同じで、反対方向に回転する磁気の光子がつくる。
原子の電子のラブの自転軌道は、公転軌道×3.14÷1公転の自転数＝1.058×10−10m×3.14÷(7.96×107回)＝4.174×10−18m、です。
原子の陽子のラブの自転軌道は、公転軌道×3.14÷1公転の自転数＝5.765×10−14m×3.14÷(4.34×104回)＝4.171×10−18m、です。。
自転軌道が同じなので、自転によりできた磁気の光子は重なり合いながら逆方向に進むので、結合力に成る。
【請求項２】
原子核の中の陽子と中性子の結合力は、自転軌道が同じで、反対方向に回転する磁気の光子がつくる。
原子核の中の陽子のラブの自転軌道は、原子核の中の陽子のラブの公転軌道×3.14÷1公転の自転数＝8.665×10−24Jm÷(1.503×10−10J)＝5.765×10−14m×3.14÷(4.34×104回)＝4.171×10−18m、です。
原子核の中の中性子の自転軌道は、原子核の中の中性子の公転軌道×3.14÷1公転の自転数＝8.665×10−24Jm÷(1.505×10−10J)＝5.757×10−14m×3.14÷(4.34×104回)＝4.165×10−18m、です。
自転軌道が同じなので、自転によりできた磁気の光子は重なり合いながら逆方向に進むので、結合力に成る。
【請求項３】
中性子の陽子のラブと中性子の電子のラブの結合力は、自転軌道が同じで反対方向に回転する磁気の光子がつくる。
中性子の電子のラブの自転軌道は、電子のラブの自転軌道÷中性子ができる場のA＝4.174×10−18m÷中性子ができる場のA
中性子の陽子のラブの自転軌道は、陽子のラブの自転軌道÷中性子ができる場のA＝4.171×10−18m÷中性子ができる場のA
自転軌道が同じなので、自転によりできた磁気の光子は重なり合いながら逆方向に進むので、結合力に成る。
まとめて表に示す。
磁気の光子1個を作る自転軌道
表２
2020028209.tif 000004
【請求項４】
陽子の中のクオーク等の電磁気は、電磁気のエネルギー順に、渦巻き状に規則正しく並んでいる。
陽子の中の電磁気は渦巻き状に、エネルギーの大きい電磁気ほど中央に存在し、エネルギーの小さい電磁気ほど端に存在する。エネルギーの大きいクオークは渦巻きの中央に存在する。それで、陽子の中のクオーク等の電磁気は、電磁気のエネルギー順に、渦巻き状に規則正しく並んでいる。例えば、1.7MeVのuクオークは2.723×10-13Jで、4.528×10-29mの軌道に1個存在する。3.1MeVのuクオークは4.966×10-13Jで、2.483×10-29mの軌道に1個存在する。4.1MeVのdクオークは6.568×10-13Jで、1.877×10-29mの軌道に1個存在する。例えば、陽子のラブが1公転で作る電磁気1個は、2.139×10−28Jで、この電磁気の軌道は、1.233×10−41Jm÷(2.139×10−28J)＝5.765×10−14mで、1番端の軌道に存在する。
【請求項５】
地表の力の統一。
地表の力の統一は万有引力が行う。
万有引力について。
2015年6月12日に提出した、特願2015−119829の「請求項2」と「請求項3」に記した事で理解できた事は、次の事です。
1．万有引力は、原子の外側の磁気の光子です。
2．万有引力は、電子のラブが1公転で作る磁気の光子のエネルギーで、ボーア磁子÷公転数＝9.274×10−24J÷(7.96×107公転)＝1.165×10−31J、です。
3．磁気の光子1個のエネルギーは、1.165×10−31J÷(7.96×107個)＝1.464×10−39J、です。
4．陽子のラブが作る万有引力は１公転で作る磁気の光子のエネルギーで、核磁子÷公転数＝5.05×10−27J÷(4.34×104公転)＝1.164×10−31J、です。
5．原子では電子のラブが作る引力と陽子のラブが作る引力は、共に1.165×10−31Jであり、等しい。等しい引力で引き合っている
この事から、陽子を出る電磁気1個のエネルギーは1.164×10−31Jです。
電子を出る電磁気1個のエネルギーは1.165×10−31Jです。
地表に満ちている1粒子が2個の電磁気は万有引力に成っている。
○万有引力が地表の物と物を結ぶ力に成る原理は何か。
万有引力は、電子のラブが1公転で作る磁気の光子のエネルギーで、ボーア磁子÷公転数＝9.274×10−24J÷(7.96×107公転)＝1.165×10−31J、です。これを“マイナス方向に回転する万有引力”と名付ける。
万有引力は陽子のラブが１公転で作る磁気の光子のエネルギーで、核磁子÷公転数＝5.05×10−27J÷(4.34×104公転)＝1.164×10−31J、です。これを“プラス方向に回転する万有引力”と名付ける。
この回転方向が異なる1公転でできる磁気の光子が絡みあうことによって、万有引力である結ぶ力は生まれる。
1公転でできる磁気の光子のエネルギーが1.164×10−31Jである万有引力の公転軌道は、1.233×10−41Jm÷(1.165×10−31J)＝1.058×10−10m、です。
【請求項６】
宇宙の力の統一。
月と地球。太陽と惑星。ブラックホールと銀河。これらの間に働く力は、中心の物質が作る軌道エネルギーが行う。
2008年1月4日に提出した、特願2008−23309．「宇宙7」で軌道エネルギーの式について記した。
2012年9月の日本天文学会で発表した。図により説明した。
軌道エネルギーとは、中心となる物の表面から出発する電磁気(電気の光子と磁気の光子)が作る軌道のエネルギーです。
1．太陽が作る軌道エネルギー＝太陽の表面の原子を出発する電磁気1個のエネルギー×太陽の表面の原子数×見かけ上に換算する定数÷距離＝10−31J×1.325×1037個×105Km÷距離＝1.325×1011Jkm÷距離＝速度2＝引力
2． 銀河の軌道エネルギー＝ブラックホールから出発する光子1個のエネルギー×ブラックホールの表面の原子数×見かけ上に換算する定数÷距離＝10−25J×5.438×1038×102n/3個×105Km÷距離＝5.438×1018＋2n/3JKm÷距離＝速度2＝引力 (ブラックホールの質量を10n太陽質量とする)
3． 宇宙の軌道エネルギー＝中心のブラックホールから出発する光子1個のエネルギー×ブラックホールの表面の原子数×見かけ上に換算する定数÷軌道半径＝10−25J×4.827×1047個×105Km÷軌道半径＝4.827×1027JKｍ÷軌道半径＝速度2＝引力
4．地球の軌道エネルギー＝地球の表面から出発する電磁気1個のエネルギー×地球の表面の原子数×見かけ上に換算する定数÷距離＝4.444×10−35J×1.043×1035個×105Km÷距離＝4.635×105JKｍ÷距離＝速度2＝引力
○軌道エネルギーとは何か。
中心の物体は電気の光子のエネルギーと磁気の光子のエネルギーを作る。電気の光子のエネルギーは速度を作る。磁気の光子のエネルギーは引力を作る。それで、中心の物体が作った電気の光子と磁気の光子は球状にすすむ。電気の光子と磁気の光子は球状に進みながらエネルギーを減少させる。そのエネルギーの減少は進む軌道に現れる。中心の物体から離れる程、中心の物体との距離が長い程、軌道のエネルギーは小さく成る。軌道の電気の光子のエネルギーと磁気の光子のエネルギーは小さく成る。
この事を示すのが、軌道のエネルギーであり、軌道エネルギーである。
軌道エネルギーを2種類に分けて考える。１つは電気の光子の軌道エネルギーであり、１つは磁気の光子の軌道エネルギーである。電気の光子の軌道エネルギーは軌道の速度2を示す。磁気の光子の軌道エネルギーは引力を示す。しかし、この電気の光子のエネルギーと磁気の光子のエネルギーはバラバラに２つに分かれて作用せず、電磁気として1つに成り作用する。
そのため、中心の物体が作る電気の光子のエネルギーと磁気の光子のエネルギーの軌道のエネルギーは電磁気の軌道エネルギーとして速度2の作用と引力の作用を同時に行っている。
中心の物体から離れる程、中心の物体との距離が長い程、軌道のエネルギーは小さく成り、速度2の作用と引力の作用は弱く成る。
その事を示す式は、軌道エネルギー＝中央の物体が作る軌道エネルギー＝中央の物体から出発する電気の光子1個のエネルギー×中央の物質の表面の原子数×見かけ上に換算する定数÷距離＝速度2＝引力、です。
○軌道エネルギーの軌道上に存在する物質はどのような物か。
中央の物質が作る軌道に存在できるものは、軌道の速度2と軌道に存在する物質の速度2が同じで、軌道の引力と軌道に存在する物の引力が同じ物質です。
中央の物質が作る軌道に存在できるものは、軌道に存在している物質が持つ速度2と引力が、存在する軌道の速度2と引力に等しい物です。
速度2は電気の光子のエネルギーででき、引力は磁気の光子のエネルギーでできますから、中央の物質が作る軌道に存在できるものは、軌道に存在している物質が持つ電気の光子のエネルギーと磁気の光子のエネルギーが、存在する軌道の電気の光子のエネルギーと磁気の光子のエネルギーに等しい物です。
即ち、電磁気が中央の物質と軌道に存在する物を結び付けている。
中央の物質が作る軌道の電磁気のエネルギーが、軌道に存在する物の電磁気のエネルギーと等しい。電磁気が中央の物質と軌道に存在する物質を結び付けている。
中央の物質が作る軌道の速度2と引力が、軌道に存在する物質の速度2と引力と等しい。電磁気が中央の物質と軌道に存在する物質を結び付けている。
【発明の詳細な説明】
【技術分野】
【０００１】
本発明は、力の統一に関するものである。
【背景技術】
【０００２】
統一理論については、2018年8月8日に提出した、特願2018−148956に記した。
【先行技術文献】
【特許文献】
【０００３】
【特許文献１】特願2018−148956
【発明の概要】
【発明が解決しようとする課題】
【０００４】
１．    原子の陽子のラブと電子のラブの離れている軌道の間の結合力は、万有引力と、自転軌道が同じで、反対方向に回転する磁気の光子がつくる。
２．    原子核の中の陽子と中性子の結合力は、自転軌道が同じで、反対方向に回転する磁気の光子がつくる。
３．    中性子の陽子のラブと中性子の電子のラブの結合力は、自転軌道が同じで反対方向に回転する磁気の光子がつくる。
４．    陽子の中のクオーク等の電磁気は、電磁気のエネルギー順に、渦巻き状に規則正しく並んでいる。
５．    地表の力の統一。
６．    宇宙の力の統一。
【課題を解決するための手段】
【０００５】
1．原子の陽子のラブの自転軌道と電子のラブの自転軌道を計算し、磁気の光子の大きさを理解する。
2．原子核の中の陽子のラブの自転軌道と中性子のラブの自転軌道を計算し、磁気の光子の大きさを理解する。
3．中性子の陽子のラブと中性子の電子のラブの自転軌道を計算し、磁気の光子の大きさを理解する。
4．陽子の中で、クオーク等の電磁気はエネルギーの大きい物は中央の軌道が小さい軌道に、電磁気のエネルギーの小さい物は外側の軌道の大きい所に、渦巻き状に並んでいる。
5．地表の力の統一は万有引力によりできる。
6．宇宙の力の統一は、中央の物質が作る軌道の速度2と引力が、軌道に存在する物の速度2と引力と等しく成り、中央の物質と軌道に存在する物を結び付けている。
【発明の効果】
【０００６】
１．表に示す。
2．表に示す。
3．表に示す。
4．図に示す。
5．図に示す。
6．図に示す。
【図面の簡単な説明】
【０００７】
【図１】図１は原子の陽子のラブと電子のラブの離れている軌道の間の結合力は、万有引力と、自転軌道が同じで、反対方向に回転する磁気の光子がつくる。原子の電子のラブの自転軌道は、公転軌道×3.14÷1公転の自転数＝1.058×10−10m×3.14÷(7.96×107回)＝4.174×10−18m、です。原子の陽子のラブの自転軌道は、公転軌道×3.14÷1公転の自転数＝5.765×10−14m×3.14÷(4.34×104回)＝4.171×10−18m、です。自転軌道が同じなので、自転によりできた磁気の光子は重なり合いながら逆方向に進むので、結合力に成る。万有引力は、電子のラブが1公転で作る磁気の光子のエネルギーで、ボーア磁子÷公転数＝9.274×10−24J÷(7.96×107公転)＝1.165×10−31J、です。陽子のラブが作る万有引力は１公転で作る磁気の光子のエネルギーで、核磁子÷公転数＝5.05×10−27J÷(4.34×104公転)＝1.164×10−31J、です。それで、万有引力が等しく回転する方向が反対なので、結合力ができる。・原子核の中の陽子と中性子の結合力は、自転軌道が同じで、反対方向に回転する磁気の光子がつくる。原子核の中の陽子のラブの自転軌道は、原子核の中の陽子のラブの公転軌道×3.14÷1公転の自転数＝8.665×10−24Jm÷(1.503×10−10J)＝5.765×10−14m×3.14÷(4.34×104回)＝4.171×10−18m、です。原子核の中の中性子の自転軌道は、原子核の中の中性子の公転軌道×3.14÷1公転の自転数＝8.665×10−24Jm÷(1.505×10−10J)＝5.757×10−14m×3.14÷(4.34×104回)＝4.165×10−18m、です。自転軌道が同じなので、自転によりできた磁気の光子は、重なり合いながら逆方向に進むので、結合力に成る。・中性子の陽子のラブと中性子の電子のラブの結合力は、反対方向に回転する磁気の光子がつくる。中性子の電子のラブの自転軌道は、電子のラブの自転軌道÷中性子ができる場のA＝4.174×10−18m÷中性子ができる場のA中性子の陽子のラブの自転軌道は、陽子のラブの自転軌道÷中性子ができる場のA＝4.171×10−18m÷中性子ができる場のA自転軌道が同じなので、自転によりできた磁気の光子は、重なり合いながら逆方向に進む。それで、結合力に成る。・陽子の中のクオーク等の電磁気は、電磁気のエネルギー順に、渦巻き状に規則正しく並んでいる。陽子の中の電磁気は渦巻き状に、エネルギーの大きい物ほど中央に存在し、エネルギーの小さい物ほど端に存在する。エネルギーの大きいクオークは渦巻きの中央に存在する。例えば、1.7MeVのuクオークは2.723×10-13Jで、4.528×10-29mの軌道に1個存在する。3.1MeVのuクオークは4.966×10-13Jで、2.483×10-29mの軌道に1個存在する。4.1MeVのdクオークは6.568×10-13Jで、1.877×10-29mの軌道に1個存在する。例えば、陽子のラブが1公転で作る電磁気1個は、2.139×10−28Jで、この電磁気の軌道は、1.233×10−41Jm÷(2.139×10−28J)＝5.765×10−14mで、1番端の軌道に存在する。
【図２】図２は、万有引力が地表の物と物を結ぶ力に成る原理は何かを示す。万有引力は、電子のラブが1公転で作る磁気の光子のエネルギーで、ボーア磁子÷公転数＝9.274×10−24J÷(7.96×107公転)＝1.165×10−31J、です。これを“マイナス方向に回転する万有引力”と名付ける。万有引力は陽子のラブが１公転で作る磁気の光子のエネルギーで、核磁子÷公転数＝5.05×10−27J÷(4.34×104公転)＝1.164×10−31J、です。これを“プラス方向に回転する万有引力”と名付ける。この回転方向が異なる磁気の光子が絡みあうことによって、万有引力である結ぶ力は生まれる。
【図３】図３は軌道エネルギーの軌道上に存在する物はどのような物かを示す。中央の物質が作る軌道に存在できるものは、軌道の速度2と軌道に存在する物の速度2が同じで、軌道の引力と軌道に存在する物の引力が同じ物です。中央の物質が作る軌道に存在できるものは、軌道に存在している物が持つ速度2と引力が、存在する軌道の速度2と引力に等しい物です。速度2は電気の光子のエネルギーででき、引力は磁気の光子のエネルギーでできますから、中央の物質が作る軌道に存在できるものは、軌道に存在している物が持つ電気の光子のエネルギーと磁気の光子のエネルギーが、存在する軌道の電気の光子のエネルギーと磁気の光子のエネルギーに等しい物です。即ち、電磁気が中央の物質と軌道に存在する物を結び付けている。中央の物質が作る軌道の電磁気のエネルギーが、軌道に存在する物の電磁気のエネルギーと等しく成り、中央の物質と軌道に存在する物を結び付けている。中央の物質が作る軌道の速度2と引力が、軌道に存在する物の速度2と引力と等しく成り、中央の物質と軌道に存在する物を結び付けている。
【発明を実施するための形態】
【０００８】
１．    原子の陽子のラブと電子のラブの離れている軌道の間の結合力は、自転軌道が同じで、反対方向に回転する磁気の光子がつくる。
原子の電子のラブの自転軌道は、公転軌道×3.14÷1公転の自転数＝1.058×10−10m×3.14÷(7.96×107回)＝4.174×10−18m、です。
原子の陽子のラブの自転軌道は、公転軌道×3.14÷1公転の自転数＝5.765×10−14m×3.14÷(4.34×104回)＝4.171×10−18m、です。。
自転軌道が同じなので、自転によりできた磁気の光子は重なり合いながら逆方向に進むので、結合力に成る。
２．    原子核の中の陽子と中性子の結合力は、自転軌道が同じで、反対方向に回転する磁気の光子がつくる。
原子核の中の陽子のラブの自転軌道は、原子核の中の陽子のラブの公転軌道×3.14÷1公転の自転数＝8.665×10−24Jm÷(1.503×10−10J)＝5.765×10−14m×3.14÷(4.34×104回)＝4.171×10−18m、です。
原子核の中の中性子の自転軌道は、原子核の中の中性子の公転軌道×3.14÷1公転の自転数＝8.665×10−24Jm÷(1.505×10−10J)＝5.757×10−14m×3.14÷(4.34×104回)＝4.165×10−18m、です。
自転軌道が同じなので、自転によりできた磁気の光子は重なり合いながら逆方向に進むので、結合力に成る。
３．    中性子の陽子のラブと中性子の電子のラブの結合力は、自転軌道が同じで反対方向に回転する磁気の光子がつくる。
中性子の電子のラブの自転軌道は、電子のラブの自転軌道÷中性子ができる場のA＝4.174×10−18m÷中性子ができる場のA
中性子の陽子のラブの自転軌道は、陽子のラブの自転軌道÷中性子ができる場のA＝4.171×10−18m÷中性子ができる場のA
自転軌道が同じなので、自転によりできた磁気の光子は重なり合いながら逆方向に進むので、結合力に成る。
まとめて表に示す。
磁気の光子1個を作る自転軌道
表1
2020028209.tif 000003
４．    陽子の中のクオーク等の電磁気は、電磁気のエネルギー順に、渦巻き状に規則正しく並んでいる。
陽子の中の電磁気は渦巻き状に、エネルギーの大きい電磁気ほど中央に存在し、エネルギーの小さい電磁気ほど端に存在する。エネルギーの大きいクオークは渦巻きの中央に存在する。それで、陽子の中のクオーク等の電磁気は、電磁気のエネルギー順に、渦巻き状に規則正しく並んでいる。例えば、1.7MeVのuクオークは2.723×10-13Jで、4.528×10-29mの軌道に1個存在する。3.1MeVのuクオークは4.966×10-13Jで、2.483×10-29mの軌道に1個存在する。4.1MeVのdクオークは6.568×10-13Jで、1.877×10-29mの軌道に1個存在する。例えば、陽子のラブが1公転で作る電磁気1個は、2.139×10−28Jで、この電磁気の軌道は、1.233×10−41Jm÷(2.139×10−28J)＝5.765×10−14mで、1番端の軌道に存在する。
５．    地表の力の統一。
地表の力の統一は万有引力が行う。
万有引力について。
2015年6月12日に提出した、特願2015−119829の「請求項2」と「請求項3」に記した事で理解できた事は、次の事です。
1．万有引力は、原子の外側の磁気の光子です。
2．万有引力は、電子のラブが1公転で作る磁気の光子のエネルギーで、ボーア磁子÷公転数＝9.274×10−24J÷(7.96×107公転)＝1.165×10−31J、です。
3．磁気の光子1個のエネルギーは、1.165×10−31J÷(7.96×107個)＝1.464×10−39J、です。
4．陽子のラブが作る万有引力は１公転で作る磁気の光子のエネルギーで、核磁子÷公転数＝5.05×10−27J÷(4.34×104公転)＝1.164×10−31J、です。
5．原子では電子のラブが作る引力と陽子のラブが作る引力は、共に1.165×10−31Jであり、等しい。等しい引力で引き合っている
この事から、陽子を出る電磁気1個のエネルギーは1.164×10−31Jです。
電子を出る電磁気1個のエネルギーは1.165×10−31Jです。
地表に満ちている1粒子が2個の電磁気は万有引力に成っている。
○万有引力が地表の物と物を結ぶ力に成る原理は何か。
万有引力は、電子のラブが1公転で作る磁気の光子のエネルギーで、ボーア磁子÷公転数＝9.274×10−24J÷(7.96×107公転)＝1.165×10−31J、です。これを“マイナス方向に回転する万有引力”と名付ける。
万有引力は陽子のラブが１公転で作る磁気の光子のエネルギーで、核磁子÷公転数＝5.05×10−27J÷(4.34×104公転)＝1.164×10−31J、です。これを“プラス方向に回転する万有引力”と名付ける。
この回転方向が異なる1公転でできる磁気の光子が絡みあうことによって、万有引力である結ぶ力は生まれる。
1公転でできる磁気の光子のエネルギーが1.164×10−31Jである万有引力の公転軌道は、1.233×10−41Jm÷(1.165×10−31J)＝1.058×10−10m、です。
６．    宇宙の力の統一。
月と地球。太陽と惑星。ブラックホールと銀河。これらの間に働く力は、中心の物質が作る軌道エネルギーが行う。
2008年1月4日に提出した、特願2008−23309．「宇宙7」で軌道エネルギーの式について記した。
2012年9月の日本天文学会で発表した。図により説明した。
軌道エネルギーとは、中心となる物の表面から出発する電磁気(電気の光子と磁気の光子)が作る軌道のエネルギーです。
1．太陽が作る軌道エネルギー＝太陽の表面の原子を出発する電磁気1個のエネルギー×太陽の表面の原子数×見かけ上に換算する定数÷距離＝10−31J×1.325×1037個×105Km÷距離＝1.325×1011Jkm÷距離＝速度2＝引力
2． 銀河の軌道エネルギー＝ブラックホールから出発する光子1個のエネルギー×ブラックホールの表面の原子数×見かけ上に換算する定数÷距離＝10−25J×5.438×1038×102n/3個×105Km÷距離＝5.438×1018＋2n/3JKm÷距離＝速度2＝引力 (ブラックホールの質量を10n太陽質量とする)
3． 宇宙の軌道エネルギー＝中心のブラックホールから出発する光子1個のエネルギー×ブラックホールの表面の原子数×見かけ上に換算する定数÷軌道半径＝10−25J×4.827×1047個×105Km÷軌道半径＝4.827×1027JKｍ÷軌道半径＝速度2＝引力
4．地球の軌道エネルギー＝地球の表面から出発する電磁気1個のエネルギー×地球の表面の原子数×見かけ上に換算する定数÷距離＝4.444×10−35J×1.043×1035個×105Km÷距離＝4.635×105JKｍ÷距離＝速度2＝引力
○軌道エネルギーとは何か。
中心の物体は電気の光子のエネルギーと磁気の光子のエネルギーを作る。電気の光子のエネルギーは速度を作る。磁気の光子のエネルギーは引力を作る。それで、中心の物体が作った電気の光子と磁気の光子は球状にすすむ。電気の光子と磁気の光子は球状に進みながらエネルギーを減少させる。そのエネルギーの減少は進む軌道に現れる。中心の物体から離れる程、中心の物体との距離が長い程、軌道のエネルギーは小さく成る。軌道の電気の光子のエネルギーと磁気の光子のエネルギーは小さく成る。
この事を示すのが、軌道のエネルギーであり、軌道エネルギーである。
軌道エネルギーを2種類に分けて考える。１つは電気の光子の軌道エネルギーであり、１つは磁気の光子の軌道エネルギーである。電気の光子の軌道エネルギーは軌道の速度2を示す。磁気の光子の軌道エネルギーは引力を示す。しかし、この電気の光子のエネルギーと磁気の光子のエネルギーはバラバラに２つに分かれて作用せず、電磁気として1つに成り作用する。
そのため、中心の物体が作る電気の光子のエネルギーと磁気の光子のエネルギーの軌道のエネルギーは電磁気の軌道エネルギーとして速度2の作用と引力の作用を同時に行っている。
中心の物体から離れる程、中心の物体との距離が長い程、軌道のエネルギーは小さく成り、速度2の作用と引力の作用は弱く成る。
その事を示す式は、軌道エネルギー＝中央の物体が作る軌道エネルギー＝中央の物体から出発する電気の光子1個のエネルギー×中央の物質の表面の原子数×見かけ上に換算する定数÷距離＝速度2＝引力、です。
○軌道エネルギーの軌道上に存在する物質はどのような物か。
中央の物質が作る軌道に存在できるものは、軌道の速度2と軌道に存在する物質の速度2が同じで、軌道の引力と軌道に存在する物の引力が同じ物質です。
中央の物質が作る軌道に存在できるものは、軌道に存在している物質が持つ速度2と引力が、存在する軌道の速度2と引力に等しい物です。
速度2は電気の光子のエネルギーででき、引力は磁気の光子のエネルギーでできますから、中央の物質が作る軌道に存在できるものは、軌道に存在している物質が持つ電気の光子のエネルギーと磁気の光子のエネルギーが、存在する軌道の電気の光子のエネルギーと磁気の光子のエネルギーに等しい物です。
即ち、電磁気が中央の物質と軌道に存在する物を結び付けている。
中央の物質が作る軌道の電磁気のエネルギーが、軌道に存在する物の電磁気のエネルギーと等しい。電磁気が中央の物質と軌道に存在する物質を結び付けている。
中央の物質が作る軌道の速度2と引力が、軌道に存在する物質の速度2と引力と等しい。電磁気が中央の物質と軌道に存在する物質を結び付けている。
【産業上の利用可能性】
【０００９】
素粒子と素粒子を結ぶ力や、地表の物と物を結ぶ力や、宇宙の銀河を引き付けている力を学ぶことは産業の発展に役立つ。
【符号の説明】
【００１０】
１    原子の陽子のラブ
２    原子の電子のラブ  
３    原子の陽子のラブの自転軌道は4.171×10−18m
４    原子の電子のラブの自転軌道は4.174×10−18m    
５    原子核の中の陽子のラブ
６    原子核の中の中性子のラブ
７    原子核の中の陽子のラブの自転軌道は4.171×10−18m        
８    原子核の中の中性子のラブの自転軌道は4.165×10−18m
９    中性子の陽子のラブ
１０    中性子の電子のラブ
１１    中性子の陽子のラブの自転軌道は4.171×10−18m÷中性子ができる場のA    
１２    中性子の電子のラブの自転軌道は4.174×10−18m÷中性子ができる場のA      
１３    陽子の中のクオーク等の電磁気は、電磁気のエネルギー順に、渦巻き状に規則正しく並んでいる    
１４    陽子の中の電磁気は渦巻き状に、エネルギーの大きい電磁気ほど中央に存在し、エネルギーの小さい電磁気ほど端に存在する    
１５    エネルギーの大きいクオークは渦巻きの中央に存在する  
１６    1.7MeVのuクオークは2.723×10-13Jで、4.528×10-29mの軌道に1個存在する
１７    3.1MeVのuクオークは4.966×10-13Jで、2.483×10-29mの軌道に1個存在する
１８    4.1MeVのdクオークは6.568×10-13Jで、1.877×10-29mの軌道に1個存在する
１９    陽子のラブが1公転で作る電磁気1個は、2.139×10−28Jで、この電磁気の軌道は、1.233×10−41Jm÷(2.139×10−28J)＝5.765×10−14mで、1番端の軌道に存在する
２０    万有引力は、電子のラブが1公転で作る磁気の光子のエネルギーで、ボーア磁子÷公転数＝9.274×10−24J÷(7.96×107公転)＝1.165×10−31J、です。これを“マイナス方向に回転する万有引力”と名付ける
２１    万有引力は陽子のラブが１公転で作る磁気の光子のエネルギーで、核磁子÷公転数＝5.05×10−27J÷(4.34×104公転)＝1.164×10−31J、です。これを“プラス方向に回転する万有引力”と名付ける。
２２    中央の物質    
２３    中央の物質が作る軌道のエネルギー    
２４    軌道に存在する物    
２５    中央の物が作る軌道の電気の光子と磁気の光子のエネルギー  
２６    中央の物が作る軌道の速度2と引力  
２７    軌道に存在する物が作る電気の光子と磁気の光子のエネルギー    
２８    軌道に存在する物が作る軌道の速度2と引力
２９    中央の物質が作る軌道の速度2と引力が、軌道に存在する物の速度2と引力と等しく成り、中央の物質と軌道に存在する物を結び付けている
【図１】
2020028209.tif 000005
【図２】
2020028209.tif 000006
【図３】
2020028209.tif 000007